(57)【要約】【課題】  バッチカードの劣化レベルを正確に判別できるようにする。【解決手段】  紙幣７及びこの紙幣７のバッチを管理するためのバッチカード１０を供給する取出部８と、この取出部８により供給された紙幣７を処理するとともに、バッチカード１０の品質を判定する認識ユニット１１と、この認識ユニット１１により品質が判定されたバッチカード１０の番号情報を読み取るバーコードリーダ１２とを具備してなる紙幣処理機１と、認識ユニット１１によって判定された品質情報をバーコードリーダ１２によって読み取られた番号毎に保管管理する集中管理装置５と、この集中管理装置５に保管されたバッチカード１０の品質情報を表示させる表示部３ａ、４ａを有する前処理端末３及び後処理端末４とを具備する。【選択図】      図１
2008250418.tif 000002
【特許請求の範囲】
【請求項１】
紙葉類及びこの紙葉類のバッチを管理するためのバッチカードを供給する供給手段と、
この供給手段により供給された前記紙葉類を処理するとともに、前記バッチカードの品質を判定する判定手段と、
この判定手段により品質が判定された前記バッチカードの番号情報を読み取る読取手段とを具備してなる紙葉類処理機と、
前記判定手段によって判定された品質情報を前記読取手段によって読み取られた番号毎に保管管理する管理装置と、
この管理装置に保管された前記バッチカードの品質情報を表示させる表示部を有する端末装置と、
を具備することを特徴とする紙葉類処理システム。
【請求項２】
前記端末装置は、その表示部に前記バッチカードの品質の劣化情報を表示することを特徴とする請求項１記載の紙葉類処理システム。
【請求項３】
前記バッチカードの劣化情報は、その劣化レベルに応じて表示されることを特徴とする請求項２記載の紙葉類処理システム。
【請求項４】
前記バッチカードの劣化情報は、識別劣化情報、及び形状劣化情報であることを特徴とする請求項２記載の紙葉類処理システム。
【請求項５】
前記管理装置は、前記バッチカードが使用される毎に、その番号別に通算使用回数を更新して登録することを特徴とする請求項１記載の紙葉類処理システム。
【請求項６】
前記端末装置は、その表示部に前記バッチカードの通算使用回数を表示することを特徴とする請求項５記載の紙葉類処理システム。
【請求項７】
前記端末装置は、前記紙葉類の処理に際し、前記バッチカードの番号と処理情報を登録ずる前処理端末と、前記紙葉類の処理後、使用済みバッチカードの番号を入力し、照合作業を行なう後処理端末とから構成されることを特徴とする請求項１記載の紙葉類処理システム。
【請求項８】
前記表示部に表示された前記バッチカードの品質情報に基づいてバッチカードを廃却する場合には、その番号を前記後処理端末により入力し、この入力に基づいて前記管理装置により当該番号のバッチカードの使用不可情報が設定されることを特徴とする請求項７記載の紙葉類処理システム。
【請求項９】
前記管理装置によりバッチカードの使用不可情報が設定された後において、この使用不可情報が設定されたバッチカードの番号が前記前処理端末によって再度、入力された場合には、前記前処理端末の表示部に該バッチカードは使用不可設定済みのものであると表示することを特徴とする請求項７記載の紙葉類処理システム。
【請求項１０】
前記バッチカードは、その表面に識別コードデータを有し、
前記判定手段は、前記バッチカードの識別コードデータの幅を数分割可能な分解能でサンプルし、これら各サンプルデータを規定のしきい値により２値化処理してパターンデータを作成し、この作成したパターンデータに対し明暗各々の配置と連続性をあらかじめ準備した基準パターン情報を比較し、一致した情報の合計値が規定値を満足する場合にバッチカードであると判定することを特徴とする請求項１記載の紙葉類処理システム。
【請求項１１】
前記判定手段は、２値化に用いるしきい値を数種類準備し、識別コードの劣化レベルを検出するためのしきい値のパターンデータを作成し、この作成したパターンデータに対し明暗各々の配置と連続性をあらかじめ準備した基準パターン情報を比較して一致した情報の合計値を算出することにより、劣化レベルを判定することを特徴とする請求項１０記載の記載の紙葉類処理システム。
【発明の詳細な説明】
【技術分野】
【０００１】
本発明は、例えば、紙幣などの紙葉類を処理する紙葉類処理システムに関する。
【背景技術】
【０００２】
この種の紙葉類処理システムにおいては、入金処理のバッチを管理するためのバッチカードが用いられている。
【０００３】
このバッチカードは、紙幣処理機内で入金紙幣と一緒に機械処理され、繰り返し使用される。このため、入金時に１回だけ機械処理される紙幣とは異なり、劣化し易くなっている。
【０００４】
バッチカードは、紙幣処理機内で搬送されて識別部で識別され、さらに読取部でカード番号が読み取られるようになっているが、バッチカードが劣化すると、カード番号の読取精度、バッチカードの識別精度、さらに搬送性能などが低下してしまう虞がある。
【０００５】
従って、バッチカードが劣化した場合には、バッチカードを交換する必要がある（例えば、特許文献１参照。）。
【特許文献１】特開２００６−９９３９１号
【発明の開示】
【発明が解決しようとする課題】
【０００６】
しかしながら、従来においては、バッチカードの交換をオペレータの判断に委ねていたため、判断に誤りを生じることがあった。判断が誤った場合には、劣化したバッチカードが継続して使用されることになる。このため、バッチカードの番号を読取ることができなくなって後処理が増加したり、バッチカードの変形や破れが要因で搬送異常が発生してジャムが誘発され、処理効率が低下する原因になっていた。
【０００７】
本発明は上記事情に着目してなされたもので、その目的とするところは、バッチカードの品質を自動的に判別して表示できるようにした紙葉類処理システムを提供することにある。
【課題を解決するための手段】
【０００８】
上記課題を解決するため、請求項１記載のものは、紙葉類及びこの紙葉類のバッチを管理するためのバッチカードを供給する供給手段と、この供給手段により供給された前記紙葉類を処理するとともに、前記バッチカードの品質を判定する判定手段と、この判定手段により品質が判定された前記バッチカードの番号情報を読み取る読取手段とを具備してなる紙葉類処理機と、前記判定手段によって判定された品質情報を前記読取手段によって読み取られらた番号番号毎に保管管理する管理装置と、この管理装置に保管された前記バッチカードの品質情報を表示させる表示部を有する端末装置とを具備することを特徴とする。
【発明の効果】
【０００９】
本発明によれば、自動的に判定されたバッチカードの品質情報に基づいてバッチカードの交換時期を正確に判別でき、処理効率を向上できる。
【発明を実施するための最良の形態】
【００１０】
以下、本発明を図面に示す実施の形態を参照して詳細に説明する。  
図１は、本発明の一実施の形態である紙葉類処理システムとしての紙幣処理システムを示すものである。
【００１１】
この紙幣処理システムは、紙葉類処理機としての紙幣処理機１、テラーＰＣ２、端末装置としての前処理端末３、後処理端末４、及び集中管理装置５、さらにこれらを接続するためのＩ／Ｆ機能を備えて構成されている。
【００１２】
紙幣処理機１は、紙幣類としての紙幣７、ゲームチケット、バッチカード１０を１枚ずつ取り出す供給手段としての取出部８と、この取出部８により取り出された紙幣７、ゲームチケット、バッチカード１０を搬送する搬送路９を備えている。また、搬送路９上には判定手段としての認識ユニット１１、読取手段としてのバーコードリーダ１２、複数の集積部１３が配設されている。さらに紙幣処理機１には、上位制御部１４、及びリジェクト部１５が配設されている。
【００１３】
認識ユニット１１は、紙幣７、ゲームチケット、バッチカード１０の認識を行うためのセンサ群を有するとともに、センサデータ処理、及び判別を行う処理部を有する。また、認識ユニット１１は、上位制御部１４との通信機能を有するとともに、後述するようにバッチカード品質検査機能を有している。
【００１４】
バーコードリーダ１２は、バッチカード１０のバーコードを読み取るものである。
【００１５】
上位制御部１４は、認識ユニット１１、バーコードリーダ１２、及びテラーＰＣ２との通信処理、及び紙幣類の搬送制御、さらに認識ユニット１１からの判別結果、バーコードリーダ１２からの読取番号等の情報から総合的な計数処理判定を行うものである。
【００１６】
複数の集積部１３は、認識ユニット１１の判定結果毎に紙幣を区分集積するものである。
【００１７】
上記したテラーＰＣ２は、紙幣処理機１を操作制御するオペレータ操作部を有するとともに、上位制御部１４とのＩ／Ｆ機能を備える。
【００１８】
前処理端末３は、紙幣処理機１による機械計数の前処理を行うためのもので、後処理端末４は、機械計数処理後の後処理を行うためのものである。
【００１９】
集中管理装置５はシステム、及び計数情報の全てを管理、保管、及び統括するデータサーバを兼ねるものである。
【００２０】
つぎに、上記した紙幣処理システムの入金処理動作について説明する。
【００２１】
この場合には、まず、オペレータが前処理端末３を操作して１入金単位毎にバッチカード１０の番号と入金情報の登録処理を行う。バッチカード１０の番号登録は、通常、図２に示すようにバッチカード１０に記載された番号をオペレータが前処理端末３のキーボードで入力することにより、或いは、バッチカード１０に印刷されたバーコードをハンディスキャナで読み込むことによって行なわれる。
【００２２】
バッチカード１０の番号と入金情報を登録したのち、該当番号のバッチカード１０を入金単位毎に挿入した入金紙幣群を紙幣処理機１の取出部８に投入し、計数処理動作を開始する。
【００２３】
取出部８から取り出されたバッチカード１０及び紙幣７は、認識ユニット１１に搬送され、この認識ユニット１１でバッチカード１０に予め印刷された識別コード１６が読み取られる。この読取に基づいて紙幣かバッチカードかの識別処理が行なわれるとともに、通常の紙幣判別処理、紙幣計数処理などが行なわれる。認識ユニット１１で判別された紙幣はその判定結果毎に複数の集積部１３に区分集積される。
【００２４】
つぎに、上記した紙幣とバッチカードとの識別処理について説明する。
【００２５】
認識ユニット１１は、バッチカード１０の表面に印刷された識別コード１６のコード幅を数分割可能な分解能でサンプルし、図３に示すように各サンプルデータを規定のしきい値により２値化処理し、パターンデータを作成する。この作成したパターンデータと、明暗各々の配置と連続性を予め準備した基準パターン情報とを比較し、一致した情報の合計値が規定値を満足する場合にバッチカードであると判定する。
【００２６】
即ち、基準パターンの暗領域で検出されたサンプルデータの暗データカウント値をＣｄ、基準パターンの明領域で検出されたサンプルデータの明データカウント値をＣｂとしたとき、Ｃｄ＋Ｃｂ＞バッチカード判定しきい値
であれば、バッチカードと判定する。
【００２７】
ところで、上記したバッチカード１０の判定処理で判定の基準となる識別コード１６は、バッチカード１０が繰り返し機械処理される事でかすれが発生し、バッチカード１０の認識性能に影響を与える。
【００２８】
バッチカード１０を認識できなかった場合には、該当バッチ（一入金単位）は、後工程で手入力処理となるため、作業効率を大幅に低減させてしまう。
【００２９】
そこで、この発明においては、認識ユニット１１にバッチカード品質検査機能を持たせ、バッチカード１０の認識処理を行うと同時にバッチカードの劣化判定処理を行う。
【００３０】
次に、バッチカード１０の劣化判定処理について説明する。
【００３１】
図４に示すように、２値化に用いるしきい値を数種類準備し、識別コード１６のかすれ具合を、検出するためのしきい値数分のパターンデータを作成する。識別コード１６のパターン部分（暗となる部分）がかすれて劣化すると浮き上がりが生ずる。これらをバッチカード認識処理と同様に基準パターンと比較処理を行い一致した情報の合計値を算出する。
【００３２】
劣化は、しきい値のレベルと、２値化したパターンと、基準パターンとの比較後の一致データ合計値により判定し、第１の劣化レベルとして算出とする。
【００３３】
即ち、各しきい値から算出した明暗領域内の各カウント値合計が、しきい値２で規定カウント以下の場合には要交換、しきい値２で規定カウント以上の場合には正常、しきい値１で規定カウント以下の場合には注意、しきい値１で規定カウント以上の場合には正常と判定する。
【００３４】
一方、バッチカードの形状も繰り返し機械処理される事で劣化し、折れや破れ等が発生し、搬送異常やＪＡＭの原因になり得るため、通常の紙幣の形状正損判定処理をバッチカードについても同様に適用し、正常な形状判定から折れや欠損の検出量に応じて第２の劣化レベルとして算出する。
【００３５】
認識ユニット１１が、バッチカード１０と判定した場合には、図５に示すように当該バッチで処理された計数情報と合わせて、バッチカード１０の劣化情報を上位の制御部１４へ通知する。
【００３６】
制御部１４はバーコードリーダ１２から受信したバーコード番号と、認識ユニット１１から受信した入金処理データ、及びバッチカードの劣化情報をテラーＰＣ２に通知する。
【００３７】
テラーＰＣ２は任意のタイミングでバッチカード劣化情報が付加された入金処理情報を集中管理装置５へ送信し、集中管理装置５はこれらのデータを内部に保持すると同時に、装置内に付加されたソフトウェアにより、装置内に保持されているバッチカード番号別の使用回数情報の中から同一のバッチカード番号の検索を行い、登録済みの場合、使用された通算回数を更新し、未登録の場合は新規に登録処理を行いデータを保持する。
【００３８】
上記した紙幣処理機１による入金処理後、リジェクト券やバッチカードは後工程に移行し、入金処理結果の照合処理を行う。
【００３９】
この場合、オペレータは、リジェクト部１５にリジェクトされた処理済みのバッチカードの番号を後処理端末４により入力するとともに、リジェクト券を手入力したのち、入金伝票金額と機械処理された金額の照合作業を行うために、集中管理装置５と後処理端末４との間で入金処理データの送受信を行う。
【００４０】
このとき、オペレータが使用する後処理端末４に搭載されたバッチカード品質管理機能により、オペレータは後処理端末４の表示部４ａに集中管理装置５に保管されたバッチカード１０の劣化レベル情報と使用回数情報を図６に示すように表示させることにより参照する事ができる。
【００４１】
この表示情報、即ち、識別レベル、形状劣化レベル、使用頻度により、オペレータは該当バッチカードが次の入金処理に使用可能か否かを判断する事ができ、継続使用可能であれば更に前処理行程に流し、不可能であれば廃却処理を行なう。
【００４２】
次に、バッチカードの廃却処理について説明する。
【００４３】
バッチカードを廃却する場合には、その番号を後処理端末４のキーボードにより入力して廃却を指定する。これにより、集中管理装置５のサーバ内にある該当番号のデータに対し今後、使用不可の情報が設定される。
【００４４】
この使用不可と設定されたバッチカードの番号を誤って再度、前処理端末３から登録処理した場合には、前処理端末３に搭載されたバッチカード品質管理機能が集中管理装置５に保持されたバッチカード情報と照合処理を行い、使用不可設定済みのカードであった場合は、その旨を表示部３ａに表示してオペレータに通知する。
【００４５】
このように紙幣処理機１が判別したバッチカードの品質情報を共有する事で、システム内に劣化したバッチカードが循環されるのを防ぐ事ができる。
【００４６】
従って、劣化したバッチカードを継続使用した場合のように、バッチカードの番号読み取り性能の悪化による後処理の増加、バッチカードの変形や破れが要因で異常搬送が発生しＪＡＭを誘発するなど紙幣入金処理全体の運用効率の低下を防ぐことができる。
【００４７】
次に、大量の使用済みバッチカードをまとめて品質検査を行う場合について説明する。
【００４８】
この場合、オペレータはテラーＰＣ２を操作してバッチカードの品質検査モードを指定する。これにより、テラーＰＣ２が集中管理装置５に対して今まで処理したバッチカード番号の累積処理枚数情報を要求して取得する。この状態からオペレータは、検査対象となるバッチカード群を取出部８にセットし、計数作業開始処理を行う。
【００４９】
これにより、紙幣処理機１に搭載された認識ユニット１１からのバッチカード識別情報、形状損券判定情報、集中管理装置５から受信した使用頻度情報から、制御部１４で劣化レベルが集計され、予め、設定された劣化レベルに相当する各集積部１３にバッチカードが区分集積される。
【００５０】
集積は、正常，注意，交換という劣化レベル毎に設定され、オペレータは交換対象となるバッチカードの廃却作業を一括して行う事が可能となる。
【００５１】
廃却処理がテラーＰＣ２より選択された場合には、テラーＰＣ２は集中管理装置５に廃却情報を通知し、集中管理装置５は受信した劣化データで装置内に登録されているカード情報の更新を行う。
【００５２】
上記したように、この実施の形態によれば、バッチカードを用いた紙幣処理システムにおいて、通常紙幣判別を行うための認識ユニット１１から得られたバッチカードの品質情報，バッチカード個別の使用回数を集中管理する。そして、システム内の全ての機器及び端末で共有するための通信機能と、品質情報の参照、更新処理がシステム内の全ての行程で行える機能と、システム内の紙幣処理機１のバッチカード品質検査機能を実行する事で、大量のバッチカードの品質検査を一度に実施する。従って、紙幣処理システムで使用するバッチカードの品質を保持し、紙幣処理運用の安定した効率を提供する事ができる。
【００５３】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００５４】
【図１】本発明の一実施の形態である紙幣処理システムを示す図。
【図２】図１の紙幣処理機で用いられるバッチカードを示す図。
【図３】図２のバッチカードを識別するための測定データ及び基準パターンを示す図。
【図４】図２のバッチカードの識別コードの劣化を判定するための測定データ及び基準パターンを示す図。
【図５】図１の紙幣処理機の制御部に通知するバッチ情報を示す図。
【図６】図１の端末表示部に表示されるバッチカード劣化情報を示す図。
【符号の説明】
【００５５】
３…前処理端末（端末装置）、４…後処理端末（端末装置）、３ａ、４ａ…表示部、
５…集中管理装置（管理装置）、７…紙幣（紙葉類）、８…取出部（供給手段）、１０…バッチカード、１１…認識ユニット（判定手段）、１２…バーコードユニット（読取手段）。
【図１】
2008250418.tif 000003
【図２】
2008250418.tif 000004
【図３】
2008250418.tif 000005
【図４】
2008250418.tif 000006
【図５】
2008250418.tif 000007
【図６】
2008250418.tif 000008